(57)【要約】      （修正有）【課題】操作に応じて伸縮するようにした携帯電話機保持具を提供する。【解決手段】首掛け型携帯電話機保持具の首掛け部をゴム・ナイロン或いはスプリング等の伸縮性素材に拠って形成し保持部が携帯電話機の操作に応じて伸縮する様にし、携帯時の位置安定の為外側を、ナイロン等の腰の強い素材の二重チューブで覆い外チューブの止具と脱着自在の電話機保持部に内チューブとゴム・ナイロン或いはスプリングの伸縮部を固定して携帯時の安定保持が出来る様にした首掛け型伸縮式携帯電話機保持具。【選択図】図１
0003134374.tif 000002
【実用新案登録請求の範囲】
【請求項１】
首掛け部をナイロン或いはテフロンチューブの様な腰の強い材料で形成し、その端末を電話機保持部が簡単に脱着出来るパイプ止め具の２個の貫通穴部に固定し、首掛け部パイプ内をスライドできる伸延部チューブ２本をパイプ止め具の貫通穴部から挿入し、伸延チューブの外部端末から首掛け部内を貫通するゴム紐或いはスプリングを通し、伸延チューブ端末とスプリング又はゴム紐を電話機保持具のチューブ取りつけ穴に、電話機保持具が首掛けチューブ止め具に自動的接続される様に調整固定し、電話機保持具に携帯電話機操作の為の伸延力が懸ると電話機保持具は首掛け部止め具から離れ伸延部チューブが首掛け部止め具から引き出され、電話機保持部が必要分伸延し、操作が終わると伸延部は自動的に首掛け部に引き込まれ、電話機保持部は首掛け部止め具に接続する様にした首掛け型伸縮式携帯電話機保持具。
【考案の詳細な説明】
【技術分野】
【０００１】  本考案は、携帯電話機のハンドストラップを付けたままでそのストラップを或いは携帯電話機を取り付けリング等を介して本考案の首掛け型伸宿式携帯電話機保持具の電話機保持部に取り付けて使用するもので、電話機を使用する際首掛け部止め具から電話機保持部が離れ必要分伸延し操作が終了すれば伸延部は首掛け部に収納され電話機保持部は首掛け止め具に接続する、首掛け型伸縮式携帯電話保持具に関する。
【背景技術】
【０００２】  従来小学生等が定期券等をゴム紐で首に掛けて居る例がある。【０００３】  携帯電話機保持金具にリボン或いは樹脂製ベルトで首掛け型に形成した携帯電話機保持具が市販されている。
【特許文献】
【非特許文献】
【考案の開示】
【考案が解決しようとする課題】
【０００４】  現状に於いて携帯電話機はデジタルカメラとして、或いは鉄道等の定期券としての多機能化が進んで来て、従来の首掛け型携帯電話機保持具ではその操作に対応出来なくなってきた。
【課題を解決するための手段】
【０００５】  首掛け型携帯電話機保持具の首掛け部を、ゴム・ナイロン或いはスプリング等の伸縮性素材に拠って形成して保持部が携帯電話機が操作に応じて伸縮する様にする。【０００６】  上記の首掛け型携帯電話機保持具には電話機不使用時定位置が不安定な欠点がある。
此等を解決する為本考案では、首掛け部をナイロン或いはテフロンチューブの様な腰の強い材料で形成し、その端末を電話機保持部が簡単に脱着出来るパイプ止め具の２個の貫通穴部に固定し、首掛け部パイプ内をスライド出来る伸延部チューブ２本をパイプ止め具の貫通穴部から挿入し、伸延チューブの外部端末から首掛け部内を貫通するゴム紐或いはスプリングを通し、伸延チューブ端末とスプリング又はゴム紐を電話機保持具のチューブ取り付け穴に、電話機保持具が首掛けチューブ止め具に自動的に接続される様に調整固定し、電話機保持具に携帯電話機操作の為の伸延力が係ると電話機保持具は首掛け部止め具から離れ、伸延部チューブが首掛け部止め具から引き出され、電話機保持部が必要分伸延し、操作が終わると伸延部は自動的に首掛け部内に引き込み電話機保持部は首掛け止め具に接続される。
【考案の効果】
【０００７】  本考案の実施に拠って電話機保持部が携帯電話機（デジタルカメラを含む）の操作に際し必要量伸延し、操作完了すれば伸延部は首掛け部内に引き込み、携帯電話機は携帯位置に定位するため首に掛けたまま携帯電話機の広汎の使用が可能になる。
【考案を実施するための最良の形態】
【０００８】  首掛け型携帯電話保持具の首掛け部を伸縮性素材や、それらの編み紐或いはスプリング等で形成するのが最も簡単ではあるが、携帯時の定位置が不安定で操作時首に掛かる力が大きく伸縮力の調整等の問題もあり、本考案の二重チュウブに拠るスプリング或いはゴム紐伸縮方式がが、構造は多少複雑ではあるが、保持位置が安定していて伸縮力の調整も簡単に出来る。
【実施例１】
【０００９】  図１は本考案実施例の構造説明図であって、首掛け部（１）をナイロン或いはテフロン等腰の強い素材のチューブで形成し、その端末を電話機保持具（５）が簡単に脱着出来るパイプ止め具（４）の２個の貫通穴部（４’）に固定し、首掛け部パイプ（１）をスライド出来る伸延部チューブ（２）２本をパイプ止め具（４）の貫通穴部から挿入し、伸延チューブ（２）の外部端末から首掛け部（１）内部を通るゴム紐或いはスプリング（３）とを電話機保持具（５）のチューブ取り付け穴に電話機保持具（５）が首掛けチューブ止め具（４）に自動的に接続される様に調整固定し、電話機保持具（５）に携帯電話機（９）操作の為の伸延力が懸ると電話機保持具（５）はチューブ止め具（４）から離れ、伸延チューブ（２）がチューブ止め具（４）から引き出され電話機保持具（５）は必要分伸延し、操作が終わると伸延部（２）は首掛け部（１）内部を通るゴム紐或いはスプリング（３）に拠って首掛け部（１）に自動的に引き込まれ電話機保持部（５）は首掛けチューブ止め具（４）に結合爪に拠って接続する。
【産業上の利用可能性】
【００１０】  本考案の携帯電話機保持具は携帯電話機だけでなくデジタルカメラや電子辞書の携帯に或いは装身具としての利用等広範囲の利用可能性は多大である。
【図面の簡単な説明】
【００１１】
【図１】  本考案に於ける首掛け型伸宿式携帯電話機保持具の構造説明図である。
【図２】  本考案の首掛け型伸縮式携帯電話機保持具の使用例である。
【符号の説明】
【００１２】１…‥首掛け部チューブ
２…‥伸延部チューブ
３…‥蜜巻スプリング又はゴム非
４…‥チューブ止め部
５…‥保持部
６…‥保持リング
７…‥スプリング止め
８…‥結合爪
９…‥携帯電話機
１０…‥ハンドストラップ
【図１】
0003134374.tif 000003
【図２】
0003134374.tif 000004
【手続補正書】
【提出日】平成19年4月24日(2007.4.24)
【手続補正１】
【補正対象書類名】実用新案登録請求の範囲
【補正対象項目名】全文
【補正方法】変更
【補正の内容】
【実用新案登録請求の範囲】
【請求項１】
首掛け部をナイロン或いは「テフロン（登録商標）」チューブの様な腰の強い材料で形成し、その端末を電話機保持部が簡単に脱着出来るパイプ止め具の２個の貫通穴部に固定し、首掛け部パイプ内をスライド出来る伸延部チューブ２本をパイプ止め具の貫通穴部から挿入し、伸延チューブの外部端末から首掛け部内を貫通するゴム紐或いはスプリングを通し、伸延チュウブ端末とスプリング又はゴム紐を電話機保治具のチューブ取りつけ穴に、電話機保持具が首掛けチューブ止め具に自動的に接続される様に調整固定し、電話機保持具に携帯電話機操作の為の伸延力が懸ると電話機保持具は首掛け部止め具から離れ伸延部チューブが首掛け部止め具から引き出され、電話機保持部が必要分伸延し、操作が終わると伸延部は自動的に首掛け部に引き込まれ、電話機保持部は首掛け部止め具に接続する様にした首掛け型伸縮式携帯電話機保持具。
【手続補正２】
【補正対象書類名】明細書
【補正対象項目名】０００６
【補正方法】変更
【補正の内容】
【０００６】  上記の首掛け型携帯電話機保持具には電話機不使用時定位置が不安定な欠点がある。
此等を解決する為本考案では、首掛け部をナイロン或いは「テフロン（登録商標）」チューブの様な腰の強い材料で形成し、その端末を電話機保持部が簡単に脱着出来るパイプ止め金具の２個の貫通穴部に固定し、首掛け部パイプ内をスライド出来る伸延部チューブ２本をパイプ止め具の貫通穴部から挿入し、伸延チューブの外部端末から首掛け部内を貫通するゴム紐、或いはスプリングを通し、伸延チューブ端末とスプリング又はゴム紐を電話機保持具のチューブ取り付け穴に、電話機保持具が首掛けチューブ止め具に自動的に接続される様に調整固定し、電話機保持具に携帯電話機操作の為の伸延力が係ると電話機保持具は首掛け部止め具から離れ、伸延部チューブが首掛け部止め具から引き出され、電話機保持部が必要分伸延し、操作が終わると伸延部は自動的に首掛け部内に引き込み電話機保持部は首掛け止め具に接続される。
【手続補正３】
【補正対象書類名】明細書
【補正対象項目名】０００９
【補正方法】変更
【補正の内容】
【０００９】  図１は本考案実施例の構造説明図であって、首掛け部（１）をナイロン或いは「テフロン（登録商標）」等腰の強い素材のチューブで形成し、その端末を電話機保持具（５）が簡単に脱着出来るパイプ止め具（４）の２個の貫通穴部（４’）に固定し、首掛け部パイプ（１）内をスライド出来る伸延部チューブ（２）２本をパイプ止め具（４）の貫通穴部（４’）から挿入し、伸延チューブ（２）の外部端末から首掛け部（１）内部を通るゴム紐或いはスプリング（３）とを電話機保持具（５）のチューブ取り付け穴に電話機保持具（５）が首掛けチューブ止め具（４）に自動的に接続される様に調整固定し、電話機保持具（５）に携帯電話機（９）操作の為の伸延力が懸ると電話機保持具（５）はチューブ止め具（４）から離れ、伸延チューブ（２）がチューブ止め具（４）から引き出され電話機保持具（５）は必要分伸延し、操作が終わると伸延部（２）は首掛け部（１）内部を通るゴム紐或いはスプリング（３）に拠って首掛け部（１）に自動的に引き込まれ電話機保持部（５）はくび掛けチューブ止め具（４）に結合爪（８）に拠って接続する。